(57)【要約】  一以上の物理的分離及び化学スクラバーとの接触を用いて、臭素または塩素から一以上の軽質ガスを分離して添加ハロゲンを回収する方法が提供される。１つの側面において、本方法は、（ａ）ハロゲンを含む一以上の軽質ガスの供給原料を蒸留塔またはフラッシュ蒸発器へ提供すること、（ｂ）蒸留塔またはフラッシュ蒸発器を操作して供給原料を、（ｉ）主量のハロゲンとほんの少量の軽質ガスとを含む第１の液体と、（ii）主量の軽質ガスとほんの少量のハロゲンとを含む第１の蒸気とに分離すること、及び、（ｃ）蒸気を化学スクラバーに提供して蒸気からハロゲンを回収すること、を含む。
2009525257.tif 000002
【特許請求の範囲】
【請求項１】
臭素または塩素から軽質ガスを分離し、
（ａ）ハロゲンを含む一以上の軽質ガスの供給原料を蒸留塔またはフラッシュ蒸発器へ供給すること；
（ｂ）該蒸留塔またはフラッシュ蒸発器を操作して該供給原料を、（ｉ）主量のハロゲンとほんの少量の軽質ガスとを含む第１の液体と、（ii）主量の軽質ガスとほんの少量のハロゲンとを含む第１の蒸気とに分離すること；及び、
（ｃ）該蒸気を化学スクラバーへ供給してハロゲンを該蒸気から回収すること、を含む、方法。
【請求項２】
該第１の液体を蒸留塔またはフラッシュ蒸発器へ供給して、該第１の液体を、（ｉ）主量のハロゲンとほんの少量の軽質ガスとを含む第２の液体と、（ii）主量の軽質ガスとほんの少量のハロゲンとを含む第２の蒸気とに分離すること；及び、
（ｃ）該第２の蒸気を化学スクラバーへ供給してハロゲンを該蒸気から回収すること、をさらに含む、請求項１に記載の方法。
【請求項３】
ハロゲンは、臭素である、請求項１に記載の方法。
【請求項４】
ハロゲンは、塩素である、請求項１に記載の方法。
【請求項５】
該軽質ガスは、窒素を含む、請求項１に記載の方法。
【請求項６】
該軽質ガスは、窒素と、二酸化炭素及びＣ１〜Ｃ４炭化水素からなる群から選択された一以上の追加ガスとを含む、請求項１に記載の方法。
【請求項７】
該化学スクラバーは、担持されたかまたは担持されていない化学物質掃去剤の床を含む、請求項１に記載の方法。
【請求項８】
該ハロゲン掃去剤は、ＣｕＢｒ、ＣｕＣｌ、ＦｅＢｒ２、ＦｅＣｌ２、ＡｕＣｌ、ＡｕＢｒ、ＩｎＢｒ、ＩｎＣｌ、ＦｅＯ、Ｃｕ２Ｏ、Ｈｇ２Ｂｒ２、Ｃｕ、Ａｇ、Ａｕ、Ｈｇ、Ｐｔ、Ｐｄ、Ｒｕ、Ｒｈ、Ｆｅ、Ｏｓ、Ｉｒ、及びそれらの混合物からなる群から選択された物質を含む、請求項１に記載の方法。
【請求項９】
該ハロゲン掃去剤は、ＣｕＢｒを含む、請求項１に記載の方法。
【請求項１０】
該ハロゲン掃去剤は、金属酸化物、金属炭化物、金属窒化物、炭素、クレー、及びそれらの混合物からなる群から選択された物質に担持されている、請求項１に記載の方法。
【請求項１１】
該ハロゲン掃去剤は、Ａｌ２Ｏ３、ＳｉＯ２、ＺｒＯ２、ＴｉＯ２、ＷＯ３、ＣａＯ、ＭｇＯ、Ｃｒ２Ｏ、ＳｉＣ、Ｍｏ４Ｃ、ＴｉＮ、Ｗ２Ｎ、炭素、ゼオライト、バーミキュライト、及びそれらの混合物からなる群から選択された物質に担持されている、請求項１に記載の方法。
【請求項１２】
さらに、該化学スクラバーを加熱してそれからハロゲンを放出することを含む、請求項１に記載の方法。
【発明の詳細な説明】
【技術分野】
【０００１】
この発明は、一般に、不活性ガス及び他の化合物をハロゲンから分離するプロセスに関する。
【背景技術】
【０００２】
酸化の媒体としての空気と酸素の選択は、多くの工業プロセスについて試された。空気が、反応化学に不利に影響を及ぼすことなく、酸化に用いることができるプロセスについて、減少された資本及び運転費のために、空気は、純酸素供給より好まれる。酸素のより高い原価は、従来、膜または蒸留を用いて酸素を窒素から分離する費用から生ずる。純酸素の使用が空気より好まれる１つの例は、フィッシャー−トロプシュ合成を用いてなし遂げられる天然ガスからの液体炭化水素の生産の第１段階である合成ガス生産にある。反応化学に影響を及ぼすことに加えて、合成ガス発生においての空気の使用は、窒素が未転化天然ガスから分離されることを必要とする。天然ガスからの窒素の分離は、費用集約的であり、従来、膜または圧力スイング吸着を用いて実行される。
【０００３】
不活性ガス流れにおいて微量臭素を捕捉する慣用法は、アルカリ性スクラバー、例えば、ＮａＯＨ水溶液を使用することである。慣用のスクラビング方法により、捕捉した臭素を回収することは容易ではない。他の慣用法は、そのそれぞれが、捕捉した臭素は回収が難しいという欠点をもつ、亜硫酸ナトリウム、亜硫酸水素ナトリウム、または水酸化カルシウムの水溶液の使用を含む。
【発明の開示】
【発明が解決しようとする課題】
【０００４】
サンタバーバラ、カリフォルニア州のＧＲＴ、インクにより開発された技術は、高級炭化水素が、炭化水素とハロゲンを反応器において混合してハロゲン化アルキル及びハロゲン化水素、ＨＸを形成することにより、メタンまたは天然ガスから合成されることを許容する。ハロゲン化アルキルとＨＸは、酸化金属及び類似物質と接触して向けられて高級炭化水素とハロゲン化金属とを形成する。ハロゲン化金属は、その両方が再生される酸化金属及びハロゲンに酸化される。空気が酸化に用いられるときに、発生したハロゲンは、除去されなければ、ハロゲン化区画及び高級炭化水素が生成する結合区画を通過するであろう窒素及び二酸化炭素のような不活性ガスを含む。ＧＲＴ、インクにより開発された他の技術において、炭化水素は、触媒の存在においてハロゲン化アルキルをハロゲンと反応させることにより形成され、ＨＸは、副生物として形成される。処理全部の後のサイクルで用いるハロゲンを再生するために、ＨＸは、触媒の存在において空気または酸素で酸化される。両方の形式の技術について、ハロゲンが次の処理サイクルで使用される前に、Ｎ２、ＣＯ２から再生ハロゲン、他の軽質ガス（未反応軽質炭化水素のような）、及び水を分離することが望ましい。循環または連続処理について、そのようなガス、特に窒素は、分離されなければ、急速に蓄積するであろう。明らかな必要性は、不活性ガス及び他の化合物をハロゲンから分離する効率的、原価効率のよい処理について存在する。
【課題を解決するための手段】
【０００５】
本発明によれば、一以上の物理的分離及び化学スクラバーとの接触を用いて、臭素または塩素から一以上の軽質ガスを分離して添加ハロゲンを回収する方法が提供される。本発明の１つの側面によれば、本方法は、（ａ）ハロゲンを含む一以上の軽質ガスの供給原料を蒸留塔またはフラッシュ蒸発器へ供給すること；（ｂ）蒸留塔またはフラッシュ蒸発器を操作して供給原料を、（ｉ）主量のハロゲンとほんの少量の軽質ガスとを含む第１の液体と、（ii）主量の軽質ガスとほんの少量のハロゲンとを含む第１の蒸気とに分離すること；及び、（ｃ）蒸気を化学スクラバーに供給して蒸気からハロゲンを回収すること、を含む。
【０００６】
本発明の第２の側面において、二以上の物理的分離が使用され、各分離は、逐次に、液相のハロゲン及び気相の軽質ガスそれぞれのより大きい濃縮に導く。例えば、蒸留塔からの蒸気（軽質ガスについて濃縮された）は、さらに物質を新規蒸気と新規液体とに分離する第２の蒸留塔に供給されることが可能であり、新規蒸気は、軽質ガスについてより濃縮され、新規液体は、ハロゲンについてより濃縮される。
【０００７】
本発明において使用される化学スクラバーは、いくつかの実施形態においてハロゲンとのレドックス反応を通して化学的にハロゲンを収着することができる、１つ以上の掃去剤、物質を含む。好ましい物質は、臭化銅（II）（ＣｕＢｒ２、「臭化第二銅」）への転換により臭素を収着することが可能である臭化銅（Ｉ）（ＣｕＢｒ、「臭化第一銅」）である。
【０００８】
本発明の特徴及び利点は、以下の詳細な説明に照らして考慮されるとき、及び、以下の図面を参照することにより、良く理解されることになるであろう。
【発明を実施するための最良の形態】
【０００９】
この発明の新規方法において、一以上の軽質ガスは、ハロゲンを含む一以上の軽質ガスの供給原料を、主量のハロゲンとほんの少量の軽質ガスとを含む液体、及び、主量の軽質ガスとほんの少量のハロゲンとを含む蒸気に、物理的に分離することにより、臭素または塩素から分離される。添加ハロゲンは、ハロゲン掃去剤を含む化学スクラバーを通過させることにより、蒸気から除去される。ここで使用されるように、「軽質ガス」は、それが混合されるハロゲンより低い沸点を有するものである。大気圧での臭素及び塩素の沸点は、それぞれ、近似的に、５９℃〜３４℃である。窒素（Ｎ２）、二酸化炭素（ＣＯ２）、及び、「軽質炭化水素」−Ｃ１〜Ｃ４炭化水素のようなガスは、定義に含まれ、ただし、Ｃ４炭化水素（ブタン及びブテン）は、塩素の沸点がＣ４炭化水素の沸点未満であるので、塩素が関心のハロゲンである場合には、「軽質ガス」とみなされない。用語「主量」及び「少量」は、相対的であり、主量の第１成分と少量の第２成分を含む液体（または気体）は、第２成分より多い第１成分を含む。一般に、本発明の実施形態の殆どにおいて、所定の液体（または蒸気）は、支配的に一成分（ハロゲンまたは軽質ガス、からなり、他成分がほとんど全くない。
【００１０】
本発明の１つの実施形態は、軽質ガス（この場合に、窒素及び二酸化炭素）を臭素から分離する設備１０を描く図１に図解される。臭素を含むＮ２及びＣＯ２の供給原料１２は、頂部１６と底部１８を有する蒸留塔１４に供給される。熱交換器２０、２２は、部分凝縮器または全還流として機能を果たし、それぞれ、熱交換器２４により達せられる温度の追加的な低下で、臭素が濃縮された液体「残液」（及び、ほんの少量の軽質ガス、典型的には、臭素中の２つのガスの溶解限度以下を含む）が蒸留塔から抜き取られることを許容する。
【００１１】
塔の頂部において、還流ドラムからの液体の全還流は、熱交換器２２により促進され、軽質ガスが濃縮された蒸気（及び、ほんの少量の臭素を含む）を生じ、蒸気は、少量の臭素が除去されて軽質ガス（窒素及び二酸化炭素生産量）を生ずる化学スクラバー２６に経路を定められる。以下の説明されるように、臭素は、スクラバーからそれを加熱することにより、回収されることが可能である。
【００１２】
本発明の他の実施形態において、（示されない）２つ以上の蒸留塔は、各塔からの連続的な蒸気の軽質ガス濃縮及び「残液」流れの臭素濃縮のために、直列に接続され、各塔のヘッド（蒸気）が次の塔への供給として経路を定められる。
【００１３】
蒸留構成について、臭素の標準沸点が近似的に５９℃であることを考慮して、典型的な圧力は、０．１バール〜５０バール、より好ましくは５〜２０バールの範囲であり、温度が蒸留設備圧力に依存する。段の数は、２〜２００、より好ましくは５〜３０の範囲であることが可能である。
【００１４】
図２は、図２に示された実施形態の変形を図解し、ハロゲン供給（例えば、Ｂｒ２）がハロゲン再生装置から生ずる。この実施形態において、２８からのハロゲン供給は、水吸着装置（乾燥剤を含む）で除去される水を含む。代替的に、供給は、残留水が乾燥剤の水収着カラムで除去され、形成する臭素−水共沸混合物の限界まで、初めに蒸留されて、水から臭素を除去される。
【００１５】
本発明の別実施形態において、１つ以上の気−液フラッシュ分離装置（「フラッシュ蒸発器」）は、ハロゲン及び軽質ガスの供給を分離するために使用され、化学スクラバーにおいての追加の分離が続く。図３は、窒素及び二酸化炭素を含む、臭素の供給が第１フラッシュ蒸発器５２に提供される設備５０のようなものを図解する。蒸発器の内容物は、急速蒸発され、臭素が濃縮された第１の液体（例えば、９７％臭素回収）と、少量だけの臭素を含む第１の軽質ガス濃縮蒸気（Ｎ２、ＣＯ２）とを生ずる。第１の蒸気は、第２フラッシュ蒸発器に供給され、内容物が急速蒸発され、第２の臭素濃縮液体（そこで、例えば、追加の１．５％Ｂｒ２が回収される）と、第２熱交換器５８を通過して次に第３フラッシュ蒸発器６０に供給される第２の軽質ガス濃縮蒸気とを生ずる。第３フラッシュ蒸発器の内容物は、次に、急速蒸発され、例えば、追加の０．５％Ｂｒ２（液体）と、軽質ガスが非常に高濃縮された蒸気とを生ずる。蒸気のこの第３の流れにおいての極微量の臭素は、臭素スクラバー６２において除去される。
【００１６】
所望される場合には、追加のフラッシュ蒸発器は、使用されることが可能である。実際問題として、しかし、それを越えて増加される資本要求及び運転費用がおそらく正当化されないであろう収穫逓減点（回収された追加の臭素量に関して）が存在する。
【００１７】
蒸留塔及びフラッシュ蒸発器の両方を用いる混合した設備は、使用されることが可能である。
【００１８】
一般に、臭素からの軽質ガスの分離について、ハロゲンと含まれる軽質ガスの沸点の差を考慮して、各フラッシュ蒸発器は、−６０℃〜４０℃、より好ましくは−２０℃〜１０℃の温度、及び、０．１〜５０バール、より好ましくは５〜２０バールの圧力で運転される。一〜三の急速蒸発がむしろ好まれる。圧力は、急速蒸発において変化することが可能であり、しかし、費用を減少するために、急速蒸発を系圧力で操作して費用のかかる圧縮を避けることが望ましい。急速蒸発を操作する温度は、圧力に依存している。例えば、高圧運転は、適度に高温でも良好な臭素分離を許容することが可能である。しかし、より低圧について、冷媒が、フラッシュ装置を冷却するために必要とされる可能性がある。直列気−液急速蒸発は、一以上の急速蒸発を構成することが可能である。
【００１９】
この発明の重要な側面は、主として軽質ガスからなる非常に希薄なガス流れから臭素または塩素）を化学的にガス洗浄する方法である。本方法は、ハロゲンを収着することができるハロゲン掃去剤を使用する。好ましくは、掃去剤は、希釈ガス流れから臭素蒸気を吸収し、次に、可逆的に、遊離臭素としてそれを定量的に再び放出することが可能である。臭素の吸着は、室温または高温で発生することが可能である。
【００２０】
一般に、臭素と反応して加熱でそれを放出することができるどんな物質も、臭素掃去剤として使用されることが可能である。ハロゲン掃去剤として使用に好適であると考えられる物質の限定的でない例としては、単独でまたは組み合わせて使用される、ＣｕＢｒ、ＣｕＣｌ、ＦｅＢｒ２、ＦｅＣｌ２、ＡｕＣｌ、ＡｕＢｒ、ＩｎＢｒ、ＩｎＣｌ、ＦｅＯ、Ｃｕ２Ｏ、Ｈｇ２Ｂｒ２、Ｃｕ、Ａｇ、Ａｕ、Ｈｇ、Ｐｔ、Ｐｄ、Ｒｕ、Ｒｈ、Ｆｅ、Ｏｓ、及び、Ｉｒが挙げられる。現在、ＣｕＢｒがむしろ好まれる。高表面積（担体に関する）を有する臭化銅が使用される場合に、臭化銅の全量が随分小さくても、随分高い活性が観測される。また、沈殿法により製造されたＣｕＢｒは、素材ＣｕＢｒより良いことがわかった。
【００２１】
臭化銅（Ｉ）は、次の反応：２ＣｕＢｒ＋Ｂｒ２→２ＣｕＢｒ２によって、臭素と反応して臭化銅（II）を形成する。反応は、速く、完全であり、有利に、低温で起こる。反応は、表面結合されるようである。塊状ＣｕＢｒを使用するときには、固体の近似的に１％が、漏出が起こる前に使用される。（ＣｕＢｒ及びＣｕＢｒ２の密度は、非常に似ており、表面は十分に更新しない；４．６対４．０ｇ／ｃｍ３）。ＣｕＢｒとＢｒ２蒸気の反応は、気体と固体の反応であるので、反応速度は、固−気界面により限定され、そして、相応じて、表面積が高ければ、それだけ反応性が高い。それどころか、生ＣｕＢｒの大結晶は、最少有効吸着剤である。漏出が起こるときには（Ｂｒ２は、もはや固体により保留されない）、消費されるＣｕＢｒの量は、全固体容積の近似的に０．２％であり、これは、固体の表面のみが反応に関係することを意味する。低い反応温度は、イオン移動の可能性、及び、残っている塊状ＣｕＢｒの使用を退ける。
【００２２】
臭素分離から出てくる不活性ガス流れ（極微量の臭素を含む）は、低温または周囲温度であるので、ＣｕＢｒの低温でＢｒ２を収着する能力は、部分的に有利であり、それゆえに、周囲温度または近傍でスクラバーを運転することは、少しも追加エネルギー入力を必要としない。
【００２３】
ガス洗浄された臭素は、固体（この場合には、臭化銅（II））を、それを２５０℃超過に、典型的には、２５０℃〜２７５℃に加熱することにより再生することによって、回収される。再生反応は、２ＣｕＢｒ２（熱）→２ＣｕＢｒ＋Ｂｒ２である。臭化銅が掃去剤である点で、再生は、熱により活性化され、酸素を必要としない。
【００２４】
ハロゲン掃去剤は、塊状粉末として使用されるかまたは担体に沈着されることが可能である。限定的でない例としては、シリカ、アルミナ、ジルコニア、チタニア、ＷＯ３、ＣａＯ、ＭｇＯ、Ｃｒ２Ｏ３、及び、種々の炭化物、窒化物、並びに類似物質が挙げられる。第１の要求は、担体が５〜１５００Ｍ２／ｇの表面積を有することである。われわれの実験において、固体Ｃｕ（Ｉ）Ｂｒ、もしくは、デーヴィーキャト（Davicat）SiZr4700またはデーヴィーキャト（Davicat）Si1151A（デーヴィッドソン・コーポレーション（Davidson Corporation））に沈着されたＣｕ（Ｉ）Ｂｒを使用し、シリカは高表面積（近似的に３００ｍ２／ｇを有する。Si4700Bは、略３重量％ＺｒＯ２を含む。他の担体は、臭化銅上でガス洗浄反応を実行することにおいて、同等に有効である。
【００２５】
ハロゲン掃去剤、または支持体を加えた掃去剤は、充填塔反応器構成、または、殻及び管反応器のような他の構成において、利用されることが可能である。標準熱媒は、スクラバーの活性成分を再生温度にするために必要とされる熱を伝えるために使用されることが可能である。プロセス機構は、他方の反応器が再生を受ける間に一方がガス洗浄を受ける２つの反応器を含むことができる。
【００２６】
固体ガス洗浄剤は、不活性ガス流れから全臭素含有量を完全に保留することができる（スクラバーによる臭素減量は、１ｐｐｂ未満であると推定された）。担持臭化銅（Ｉ）は、消耗及び再生の多サイクルの後に、再現性のある結果を示す。
【００２７】
担体（シリカのような）が使用されるときには、非均質表面は、より小さい微結晶の生成を起こし、感知できるより大きい表面積を有する核形成座を生ずる。担持物質が１５重量％ＣｕＢｒのみを含むところであっても、そのより高いＣｕＢｒ表面積は、それを臭素蒸気保留に良い物質にする。
【００２８】
ハロゲン掃去剤としての臭化銅（Ｉ）の効率を調査するために、商業的に入手可能なＣｕＢｒ、担持ＣｕＢｒ、及び、沈殿により形成されたＣｕＢｒを用いて、連続実験が行われた。原掃去剤（ＣｕＢｒ）は、ＣｕＢｒ２を加熱することにより、再生された。結果は、表１において与えられる。
【００２９】
【表１】
2009525257.tif 000003
【００３０】
注記：
％は、掃去剤により保留された全Ｂｒ量である。
再生は、２７５℃において１０〜１５分以内で完全である。
数サイクルが、CuBr/4700Bの活性について減少することなく、試験された。
*−微量のＡｇＢｒが形成されたが、測定重量は、＜１０−４ｇである。
**−再生後にその効率は、商用材料の効率に減少した。
【００３１】
図６は、３０分間、室温で、臭素／窒素流れに暴露された沈殿ＣｕＢｒの試験管の写真である。暗物質は、ＣｕＢｒ２である。加熱で、色は、ＣｕＢｒの淡緑色に逆戻りし、臭素を放出する。
【００３２】
実験記録：３０ｓｃｃｍ／分Ｎ２は、０℃に冷却されたＢｒ２バブラーを通る１．５ｓｃｃｍＮ２と混合された。固体吸着剤床は、１ｃｍの直径を有する円筒ガラス管に入れられた。そのように生成された窒素中の希釈臭素への暴露時間は、室温において４０分であった。スクラバー処理されたガスは、１ＭＮａＯＨを含むトラップを通して泡立てられた。
【００３３】
担持ＣｕＢｒ物質の調製：担体は、略２０重量％ＣｕＢｒ水中溶液に、溶液の色がほとんど無色になるまで、分散された。懸濁液は、濾過されて１１５℃で一晩中乾燥された。
【００３４】
再生：保留臭素の再生は、消耗後に固体ガス洗浄剤を有する反応器を２７５℃で２０分間加熱することにより行われた。放出された臭素は、集められて、放出された臭素を１ＭＮａＯＨトラップ溶液中で捕捉することにより定量化された。捕捉した臭素のほぼ完全に近い回収が可能である。
【００３５】
定量化：ガス洗浄剤により保留されないかまたは消耗したガス洗浄剤から再生された臭素の量は、終わりに、ＨＮＯ３で、ｐＨが５以下に降下するまで酸性にされるＮａＯＨトラップにおいての吸収により、続いて過剰０．５ＭＡｇＮＯ３を用いた（少しもさらなる沈殿が起こらないほど加えられる）ＡｇＢｒの沈殿により、定量化された。存在する臭素量は、濾過してＡｇＢｒの沈殿をその重量が変化しないほど乾燥するために使用されるガラス濾過器の質量増加から計算された。
【００３６】
臭素漏出は、Ｂｒ及びＢｒＯ−のＡｇ＋による沈殿を用いることにより、測定され、ただし、ＮａＯＨトラップは、ＨＮＯ３で酸性まで、酸性化され；ＡｇＮｏ３は、それ以上沈殿が形成しないほど加えられ；懸濁液は、４０分間熟成することを許容され、次に乾燥予備秤量ガラス濾過器で濾過され、一定重量まで乾燥され、重量差は、ＡｇＢｒである。
【化１】
2009525257.tif 000004
【００３７】
ＡｇＢｒの溶解度係数Ｋspは、５×１０-13ｍｏｌ2Ｌ-2である。ＡｇＮＯ３溶液は、０．５Ｍ−３ｍｌ（またはより多くの）を合計略２０〜２５ｍｌまで、酸性にされたＮａＯＨトラップに加えられる。最終Ａｇ＋濃度は、略０．０６Ｍである。Ｂｒ−の最小検出可能濃度は、略０．０６ｐｐｂに該当する略８×１０-12Ｍである。たとえ非理想状態が仮定されても（高い、イオン性、濃度、１よりほかの異なるイオン活量）、それでも、感度は、ｐｐｂ範囲にある。
【実施例】
【００３８】
近似的に２５容積％臭素を含む、４０ｓｃｃｍ（標準立方センチメートル／分）の流量の窒素の不活性ガス流れは、本実施形態において説明された方法によって、処理された。流れは、空冷熱交換器を使用することにより、工業的に、なし遂げることが可能である２５℃の温度に冷却された。２５バールの圧力である流れは、次に、５℃の温度で運転するただ１つの気液フラッシュ装置において急速蒸発される。急速蒸発からの流出口液体は、臭素流れに溶解された少しの不活性ガスと一緒に、臭素を原供給量の９８％超過含む。不活性ガスと微量臭素を含む蒸気流れは、次に、担持された臭化銅（Ｉ）の床を室温で通り越した。不活性ガス流れからの臭素捕捉は、完全であり、ガス洗浄床は、４０分の時間、完全な臭素捕捉を実行した。臭化銅（II）と臭化銅（Ｉ）を含む消耗したガス洗浄床は、２７５℃に加熱され、ほぼ完全に近い臭素回収が、１５分の時間で観測された。
【００３９】
本発明は、ハロゲンを化学薬品生産のための供給原料または中間体として使用し、ハロゲン回収または精製が、不活性物質または軽質ガスの除去により改良される多数の工業プロセスにおいて有用性を認め、有効に減少された資本及び運転費用を生ずるであろう。これらの中に、米国特許第６４８６３６８号明細書、米国特許第６４７２５７２号明細書、米国特許第６４７２５７２号明細書、米国特許第６４６５６９６号明細書、米国特許第６４６２２４３号明細書、米国特許第６４０３８４０号明細書に記載されたアルコール、エーテル、オレフィン、及び、アルコキシ化物を製造する方法、「炭化水素供給原料を高級炭化水素及びオレフィンに転化する連続プロセス」（”Continuous Process for Converting Hydrocarbon Foodstocks into Higher Hydrocarbons and Olefins”）と題され（代理人事件登録書第５６９８７／Ｇ５０６号）、これと同一の日に提出された米国特許出願に記載された高級炭化水素を製造する方法があり、その全内容がこの引用によりここで組み込まれる。例えば、天然ガスからガソリン種類炭化水素を製造する方法において、空気が再生に使用されるときには、窒素と二酸化炭素は、臭素化及び複分解区画へ繰り越す。未転化メタンを再循環するために、費用集約的である窒素のメタンからの分離が必要とされる。また、再生中に発生した二酸化炭素は、その両方が費用集約的である、圧力スイング吸着を用いるかまたはアミン主成分系を用いるかのいずれかで、未転化メタンから分離されなければならない。軽質ガスの臭素からの分離は、反応器寸法を減少するだけでなく、また生成物及び未転化反応体からの軽質ガスの分離を単純にする。ここで説明された分離方法は、臭素のようなハロゲンから軽質ガス（窒素と二酸化炭素を包含する）を分離する費用効果の高い過程を提供する。
【００４０】
本発明は、種々の実施形態及び実施例で説明されたが、これらに限定されない。他の変更、並びに添付の特許請求の範囲の均等物は、本発明の範囲内である。
【図面の簡単な説明】
【００４１】
【図１】本発明の１つの側面による、軽質ガスを臭素から分離するプロセスの略図である。
【図２】臭素生成（「臭素再生」）及び水吸着の追加要素を有する、図１に示されたプロセスの略図である。
【図３】本発明の他の側面による、３つのフラッシュ蒸発器の直列運転を利用する軽質ガスを臭素から分離するプロセスの略図である。
【図４】本発明の１つの側面による、天然ガスを高級炭化水素に転化し、工程中に形成された臭素を軽質ガスから分離する副プロセスを含む連続プロセスの略図である。
【図５】本発明の１つの実施形態において使用されるハロゲン掃去剤についてのハロゲン漏出を測定する実験方法の略図である。
【図６】本発明の１つの側面によって、臭素／窒素流れに暴露されたＣｕＢｒ管の写真である。
【図１】
2009525257.tif 000005
【図２】
2009525257.tif 000006
【図３】
2009525257.tif 000007
【図４】
2009525257.tif 000008
【図５】
2009525257.tif 000009
【図６】
2009525257.tif 000010
【国際調査報告】
2009525257.tif 000011
2009525257.tif 000012